(57)【要約】【課題】内視鏡に対して所定の位置で取り付けられ、位置ずれを確実に防止可能な内視鏡用キャップ、およびその内視鏡等を実現する。【解決手段】挿入管１４には、一対の山状突起２４が設けられている。内視鏡用キャップ３０の挿入管１４への取り付け動作において、第１の係合突起３２Ａを、挿入管１４のガイド溝１４Ｇに沿って、挿入管１４の外壁に設けられた山状突起２４の近傍まで移動させる。このとき第２の係合突起３２Ｂも、もう一つの山状突起２４の近傍に移動する。さらに内視鏡用キャップ３０を移動させると、第１および第２の係合突起３２Ａ、３２Ｂが、それぞれ山状突起２４を乗り越え、係合凹部１４Ｒに係合する。第１、第２の係合突起３２Ａ、３２Ｂを係合凹部１４Ｒに嵌め込ことにより、内視鏡用キャップ３０は適切な位置挿入管１４に装着され、内視鏡用キャップ３０の位置ずれが防止される。【選択図】図９
2010253069.tif 000002
【特許請求の範囲】
【請求項１】
内視鏡用キャップと、前記内視鏡用キャップが先端に取り付けられる内視鏡とを備えた内視鏡装置であって、
前記内視鏡の外壁面において、前記内視鏡の先端から延びるガイド溝が設けられており、前記ガイド溝において、前記外壁面よりも低い山状突起により前記ガイド溝の基端部側で係合凹部が区画されており、
前記内視鏡用キャップが、前記内視鏡への取り付け動作において、前記ガイド溝に沿って移動して前記山状突起を乗り越えて前記係合凹部に係合するための係合突起を備えることを特徴とする内視鏡装置。
【請求項２】
内視鏡の外壁面において、前記内視鏡の先端から延びるガイド溝が設けられており、前記ガイド溝において、前記外壁面よりも低い山状突起により前記ガイド溝の基端部側で係合凹部が区画されている前記内視鏡の先端に取り付けられる内視鏡用キャップであって、
前記内視鏡への取り付け動作において、前記ガイド溝に沿って移動して前記山状突起を乗り越えて前記係合凹部に係合するための係合突起を備えることを特徴とする内視鏡用キャップ。
【請求項３】
前記内視鏡の先端において、前記内視鏡用キャップの取付位置を定めるための位置決め突起が設けられており、前記内視鏡用キャップにおいて、前記位置決め突起が嵌合する位置決め凹部が設けられていることを特徴とする請求項２に記載の内視鏡用キャップ。
【請求項４】
前記係合凹部が前記内視鏡の周方向に延びていることを特徴とする請求項２または請求項３のいずれかに記載の内視鏡用キャップ。
【請求項５】
一対の前記係合突起が、前記内視鏡用キャップの内壁面において互いに対向するように配置されていることを特徴とする請求項２から請求項４のいずれかに記載の内視鏡用キャップ。
【請求項６】
前記係合突起が、前記内視鏡用キャップを前記内視鏡に取り付ける取付方向に対して垂直な方向に沿って延びていることを特徴とする請求項２から請求項５のいずれかに記載の内視鏡用キャップ。
【請求項７】
前記係合突起の先端部の表面が曲面であることを特徴とする請求項２から請求項６のいずれかに記載の内視鏡用キャップ。
【請求項８】
前記内視鏡用キャップがプラスチックにより形成されていることを特徴とする請求項２から請求項７のいずれかに記載の内視鏡用キャップ。
【請求項９】
係合突起を備えた内視鏡用キャップが先端に取り付けられる内視鏡であって、前記内視鏡の外壁面において、前記内視鏡の先端から延び、前記内視鏡用キャップの前記内視鏡への取り付け動作において前記係合突起が移動する前記ガイド溝が設けられており、前記ガイド溝において、前記外壁面よりも低い山状突起により、前記山状突起を乗り越えた前記係合突起が係合する係合凹部が前記ガイド溝の基端部側に区画されていることを特徴とする内視鏡。
【請求項１０】
前記山状突起における基端部側の傾斜が、先端側の傾斜よりも急であることを特徴とする請求項９に記載の内視鏡。
【請求項１１】
前記ガイド溝が、前記内視鏡の長手方向に沿って設けられていることを特徴とする請求項９または請求項１０のいずれかに記載の内視鏡。
【請求項１２】
前記内視鏡の先端において、前記内視鏡用キャップの取付位置を定めるための位置決め突起が設けられていることを特徴とする請求項９から請求項１１のいずれかに記載の内視鏡。
【請求項１３】
前記位置決め突起の先端面である突起先端面と、前記内視鏡の先端面とが同一平面上にあることを特徴とする請求項１２に記載の内視鏡。
【請求項１４】
前記内視鏡において、光学系が設けられた光学領域と、処置具が移動するための移動溝とが設けられており、前記位置決め突起が、前記移動溝を隔てて前記光学領域とは反対側に設けられていることを特徴とする請求項１２または請求項１３のいずれかに記載の内視鏡。
【請求項１５】
前記山状突起の先端が面取りされていることを特徴とする請求項９から請求項１４のいずれかに記載の内視鏡。
【請求項１６】
前記内視鏡が側視型内視鏡であることを特徴とする請求項９から請求項１５のいずれかに記載の内視鏡。
【発明の詳細な説明】
【技術分野】
【０００１】
本発明は、側視型を始めとする内視鏡の先端で用いられる内視鏡用キャップ、および内視鏡等に関する。
【背景技術】
【０００２】
挿入部の先端における側面を切欠いて、対物レンズ、配光レンズ、処置具突出口等を設けた側視型内視鏡が知られている。側視型内視鏡は、体腔内における挿入部の挿入方向に対して非平行方向にある患部を観察するために用いられる。
【０００３】
また、側視型内視鏡を含む内視鏡の先端部にキャップが装着される場合がある。内視鏡にキャップを装着すると、一般に、内視鏡観察の視野を良好に保ちつつ患部を観察、処置することや、患部を吸引して容易に切除することなどが可能となる。このようなキャップのうち、内視鏡の挿入部の最先端にある表面に設けられた係合溝に係合するための突起を設けたものが知られている（例えば特許文献１）。
【先行技術文献】
【特許文献】
【０００４】
【特許文献１】特開２００４−２５５０３３号公報
【発明の概要】
【発明が解決しようとする課題】
【０００５】
内視鏡に装着されたキャップの位置がずれると、内視鏡観察に支障をきたすおそれがある。特に、側視型内視鏡においては、先端に取り付けられたキャップが周方向に回転すると、撮像領域がキャップにより遮られ、あるいは送気送水が困難になるといった深刻な問題が生じ得る。
【０００６】
そこで、特許文献１に記載された構成では、側視型内視鏡の最先端にある表面に係合溝を設け、係合溝に係合する係合部をキャップに設けて位置ずれ防止が試みられている。しかしこの場合、内視鏡の先端およびキャップの構造が複雑化する。また、内視鏡の先端面に係合溝を形成するためには、先端面における係合溝の周辺領域を突出させる必要があり、内視鏡挿入部の小型化が困難となる。
【０００７】
本発明は、内視鏡に対して所定の位置で取り付けられ、位置ずれを確実に防止可能な内視鏡用キャップ、および内視鏡用キャップとともに用いられる、簡素化された構造の内視鏡等を実現することを目的とする。
【課題を解決するための手段】
【０００８】
本発明の内視鏡装置は、内視鏡用キャップと、内視鏡用キャップが先端に取り付けられる内視鏡とを備えたものであり、内視鏡の外壁面において、内視鏡の先端から延びるガイド溝が設けられており、ガイド溝において、外壁面よりも低い山状突起によりガイド溝の基端部側で係合凹部が区画されており、内視鏡用キャップが、内視鏡への取り付け動作において、ガイド溝に沿って移動して山状突起を乗り越えて係合凹部に係合するための係合突起を備えることを特徴とする。
【０００９】
本発明の内視鏡用キャップは、内視鏡の外壁面において、内視鏡の先端から延びるガイド溝が設けられており、ガイド溝において、外壁面よりも低い山状突起によりガイド溝の基端部側で係合凹部が区画されている内視鏡の先端に取り付けられる内視鏡用キャップであり、内視鏡への取り付け動作において、ガイド溝に沿って移動して山状突起を乗り越えて係合凹部に係合するための係合突起を備えることを特徴とする。
【００１０】
内視鏡の先端においては、内視鏡用キャップの取付位置を定めるための位置決め突起が設けられており、内視鏡用キャップにおいて、位置決め突起が嵌合する位置決め凹部が設けられていることが好ましい。係合凹部は、内視鏡の周方向に延びていることが好ましい。
【００１１】
内視鏡用キャップにおいては、一対の係合突起が、内視鏡用キャップの内壁面において互いに対向するように配置されていることが好ましい。係合突起は、内視鏡用キャップを内視鏡に取り付ける取付方向に対して垂直な方向に沿って延びていることが好ましい。
【００１２】
係合突起の先端部の表面は、曲面であることが好ましい。内視鏡用キャップは、例えばプラスチックにより形成されている。
【００１３】
本発明の内視鏡は、係合突起を備えた内視鏡用キャップが先端に取り付けられる内視鏡であり、内視鏡の外壁面において、内視鏡の先端から延び、内視鏡用キャップの内視鏡への取り付け動作において係合突起が移動するガイド溝が設けられており、ガイド溝において、外壁面よりも低い山状突起により、山状突起を乗り越えた係合突起が係合する係合凹部がガイド溝の基端部側に区画されていることを特徴とする。
【００１４】
山状突起における基端部側の傾斜は、先端側の傾斜よりも急であることが好ましい。ガイド溝は、内視鏡の長手方向に沿って設けられていることが好ましい。また、内視鏡の先端において、内視鏡用キャップの取付位置を定めるための位置決め突起が設けられていることが好ましい。
【００１５】
内視鏡においては、位置決め突起の先端面である突起先端面と、内視鏡の先端面とが同一平面上にあることが望ましい。この場合、内視鏡において、光学系が設けられた光学領域と、処置具が移動するための移動溝とが設けられており、位置決め突起が、移動溝を隔てて光学領域とは反対側に設けられていることがより好ましい。
【００１６】
山状突起の先端は、面取りされていることが好ましい。内視鏡は、例えば側視型内視鏡である。
【発明の効果】
【００１７】
本発明によれば、内視鏡に対して所定の位置で取り付けられ、位置ずれを確実に防止可能な内視鏡用キャップ、および内視鏡用キャップとともに用いられる、簡素化された構造の内視鏡等を実現できる。
【図面の簡単な説明】
【００１８】
【図１】本実施形態における内視鏡を示す斜視図である。
【図２】内視鏡における可撓管の先端を切欠部側から見た斜視図である。
【図３】内視鏡における可撓管の先端を切欠部とは反対側から見た斜視図である。
【図４】内視鏡用キャップを前方から見た斜視図である。
【図５】内視鏡用キャップを後方下側から見た斜視図である。
【図６】内視鏡用キャップを後方上側から見た斜視図である。
【図７】取付け前の状態の内視鏡用キャップおよび可撓管の中心を可撓管の長手方向に沿った平面で切断した断面図である。
【図８】取り付け動作中の内視鏡用キャップおよび可撓管の中心を切断した断面図である。
【図９】取付けられた状態の内視鏡用キャップおよび可撓管の中心を切断した断面図である。
【図１０】取り付け動作中における係合突起と係合凹部の周辺部を拡大して示す断面図である。
【図１１】取付けられた状態の係合突起と係合凹部の周辺部を拡大して示す断面図である。
【発明を実施するための形態】
【００１９】
以下、本発明の実施形態を、図面を参照して説明する。図１は、本実施形態における内視鏡を示す側面図である。
【００２０】
内視鏡１０は、ライトガイド可撓管１２を介してプロセッサ（図示せず）に接続される。内視鏡１０の先端にある挿入管１４は、人体内に挿入される。プロセッサの光源（図示せず）からの照明光が、挿入管１４の先端から観察の対象である体内器官に出射される。照明光の反射光、および内視鏡１０で生成された画像信号等は、プロセッサに送られる。この結果、体内器官が観察、撮影される。
【００２１】
体内器官の観察、撮影時には、内視鏡１０の操作部１６が操作される。例えば、操作部１６の操作ノブ１７、１８を回転させると、挿入管１４の先端付近の湾曲部１４Ａが、上下、左右に湾曲される。また、必要に応じて、鉗子栓１９Ａが取り付けられた鉗子口１９から処置具（図示せず）が挿入管１４内に挿入される。この処置具は、挿入管１４の先端から突出され、患部の処置に用いられる。なお内視鏡１０は、挿入管１４の先端の側方に切欠部１４Ｃが設けられた側視型内視鏡である。
【００２２】
図２は、内視鏡１０の挿入管１４の先端を切欠部１４Ｃ側から見た斜視図である。図３は、内視鏡１０の挿入管１４の先端を切欠部１４Ｃとは反対側から見た斜視図である。
【００２３】
挿入管１４の切り欠かれた表面には、配光レンズ２０、対物レンズ２１（光学系）、配光、対物レンズ２０、２１の表面を洗浄するための送気・送水ノズル２２が設けられている。そして挿入管１４の先端には、矢印Ａの示す挿入管１４の長手方向に沿って溝１４Ｄが形成されている。溝１４Ｄ内には、鉗子起上台２８が設けられている。
【００２４】
鉗子起上台２８は、操作部１６（図１参照）の操作により、挿入管１４の長手方向に垂直な軸部材（図示せず）を中心に回転可能である。鉗子（図示せず）等の処置具は、挿入管１４を通って処置具挿通孔１４Ｍから突出する。この処置具の先端が鉗子起上台２８の挿通孔２８Ｍに到達した状態で鉗子起上台２８を起こし、さらに処置具を突出させると、処置具は挿入管１４の側方を向く。このように、溝１４Ｄと鉗子起上台２８とを設け、鉗子起上台２８の回転角度を調整することにより、処置具を所望の方向に向けることができる。
【００２５】
挿入管１４の先端部には、後述する内視鏡用キャップ（図示せず）が着脱自在に取り付けられる。このため挿入管１４の外壁面１４Ｂには、取り付け動作において内視鏡用キャップを導くガイド溝１４Ｇ（図３参照）と、一対の係合凹部１４Ｒ（図３および４参照）が形成されている。ガイド溝１４Ｇは、挿入管１４の先端面１４Ｓから、挿入管１４の長手方向に沿って延びている。内視鏡用キャップは、挿入管１４への取り付け動作において、ガイド溝１４Ｇに沿って移動する。
【００２６】
また、挿入管１４の先端面１４Ｓに平行で、先端面１４Ｓよりも基端部側に落ち込んだ平面１４Ｐには、内視鏡用キャップの位置ずれを確実に防止するための位置決め突起２６が設けられている。位置決め突起２６の先端面である突起先端面２６Ｓと先端面１４Ｓとは、同一平面上にある。図示されたように位置決め突起２６は、配光、対物レンズ２０、２１が設けられた領域である光学領域１４Ｌとは溝１４Ｄを隔てて反対側に設けられている。
【００２７】
光学領域１４Ｌは、照明光とその反射光を導くライトガイドを内部に設けるといった理由により小型化が困難であるのに対し、このような制約のない領域を長手方向に短縮して位置決め突起２６を設けることにより、挿入管１４の先端部の内部スペースを有効に活用できる。さらに突起先端面２６Ｓと先端面１４Ｓとが同一平面上にあって突出部がないことから、挿入管１４の長手方向の長さは最小限に抑えられる。
【００２８】
次に、内視鏡用キャップにつき説明する。図４は、内視鏡用キャップを前方から見た斜視図である。図５は、内視鏡用キャップを後方下側から見た斜視図であり、図６は、内視鏡用キャップを後方上側から見た斜視図である。
【００２９】
内視鏡用キャップ３０は有底の円筒形であり、内視鏡１０の挿入管１４（図１〜３参照）の先端に取り付けられるための開口３０Ｍが設けられている。また、内視鏡用キャップ３０においては、挿入管１４に取付けられると位置決め突起２６が嵌合する位置決め凹部３０Ｒ（図５、６参照）、処置具（図示せず）が通るための処置具移動窓３０Ｗが形成されている。なお位置決め凹部３０Ｒの代わりに、位置決め突起２６が嵌合する孔を内視鏡用キャップ３０に貫通させても良い。
【００３０】
内視鏡用キャップ３０の内壁面３０Ｉにおいては、一対の係合突起３２が設けられている。一対の係合突起３２は、互いに対向するように離れて配置されている。係合突起３２は、内視鏡用キャップ３０が挿入管１４に装着されると一対の係合凹部１４Ｒ（図２、３参照）に係合し、内視鏡用キャップ３０の位置ずれを確実に防止する。ここで、係合突起３２が一対設けられていることから、挿入管１４の長手方向における内視鏡用キャップ３０の位置ずれのみならず、周方向の位置ずれも防止される。さらに、位置決め突起２６と位置決め凹部３０Ｒも、内視鏡用キャップ３０の位置ずれ防止に寄与する。
【００３１】
内視鏡用キャップ３０は、例えばプラスチック等の適度に硬質な部材で形成されている。軟質部材で形成された場合、係合突起３２の周辺部の変形等によって挿入管１４に装着された状態の内視鏡用キャップ３０の位置ずれが生じ易くなるためである。
【００３２】
次に、内視鏡用キャップ３０の挿入管１４への取り付け動作につき説明する。図７は、取付け前の状態の内視鏡用キャップ３０および挿入管１４の中心を挿入管１４の長手方向に沿った平面で切断した断面図である。図８は、取り付け動作中の内視鏡用キャップ３０および挿入管１４の中心を図７と同じ平面で切断した断面図であり、図９は、取付けられた状態の内視鏡用キャップ３０および挿入管１４の中心を図７、８と同じ平面で切断した断面図である。なおこれらの図面では、説明の便宜上、鉗子起上台２８は削除されており、本来図示されない位置決め凹部３０Ｒが破線で示されている。
【００３３】
挿入管１４には、一対の山状突起２４が設けられている。いずれの山状突起２４も挿入管１４の外壁面１４Ｂより低く、山状突起２４の頂部２４Ｔは外壁面１４Ｂの延長面よりも内側にある。一方の山状突起２４は、ガイド溝１４Ｇの基端部側の端部にあってこの山状突起２４により、係合凹部１４Ｒが区画されている。なお、ガイド溝１４Ｇから離れて設けられた山状突起２４の基端部側にも、図示されたように係合凹部１４Ｒが形成されている。
【００３４】
内視鏡用キャップ３０の挿入管１４への取り付け動作においては、まず、開口３０Ｍが挿入管１４の先端を覆うように、内視鏡用キャップ３０を矢印Ｃの示す方向に移動させる。このとき、挿入管１４の先端に設けられた位置決め突起２６により、取付け時の内視鏡用キャップ３０の回転位置が容易に調整される。すなわち、位置決め突起２６が凹部３０Ｒに対応する位置にあるように内視鏡用キャップ３０を回転させると、内視鏡用キャップ３０を挿入管１４に直ちに取付けることができる。このように、本来は内視鏡用キャップ３０の位置ずれを確実に防止するための位置決め突起２６により、内視鏡用キャップ３０の取付け動作も容易になる。
【００３５】
第１の係合突起３２Ａは、挿入管１４のガイド溝１４Ｇに沿って、挿入管１４の外壁に設けられた山状突起２４の近傍まで移動する（図８参照）。なおこのとき、第２の係合突起３２Ｂも、もう一つの山状突起２４の近傍まで移動する。
【００３６】
そしてさらに内視鏡用キャップ３０を矢印Ｃ（図７参照）の示す方向に移動させると、第１および第２の係合突起３２Ａ、３２Ｂが、それぞれ山状突起２４を乗り越え、係合凹部１４Ｒに係合する（図９参照）。第１、第２の係合突起３２Ａ、３２Ｂが係合凹部１４Ｒに係合すると、内視鏡用キャップ３０の挿入管１４への取り付け動作が終了する。
【００３７】
このように、第１、第２の係合突起３２Ａ、３２Ｂを係合凹部１４Ｒに嵌め込むことにより、内視鏡用キャップ３０は適切な位置、すなわち、処置具移動窓３０Ｗが溝１４Ｄ、配光レンズ２０、対物レンズ２１（図２参照）の上にある位置で、挿入管１４に装着されるとともに、内視鏡用キャップ３０の位置ずれが防止される。
【００３８】
特に、ガイド溝１４Ｇがある程度の幅を有する（図３参照）ことからも明らかであるように、係合凹部１４Ｒは内視鏡用キャップ３０の周方向に沿って延びている。このため、上述の位置決め突起２６のみならず、係合凹部１４Ｒに係合する係合突起３２によっても、内視鏡用キャップ３０の回転による位置ずれが確実に防止される。この結果、内視鏡用キャップ３０における処置具移動窓３０Ｗ以外の領域により、配光、対物レンズ２０、２１等が覆われてしまうといった問題の発生を未然に防ぐことができる。
【００３９】
図１０は、取り付け動作中における係合突起３２と係合凹部１４Ｒの周辺部を拡大して示す断面図である。図１１は、取付けられた状態の係合突起３２と係合凹部１４Ｒの周辺部を拡大して示す断面図である。
【００４０】
いずれの山状突起２４においても、基端部側の斜面２４Ａの傾斜が、先端側斜面２４Ｂの傾斜よりも急になっている。すなわち、基端部側斜面２４Ａの傾斜角αは、先端部側斜面２４Ｂの傾斜角βよりも大きい。このように傾斜角αが大きいため、山状突起２４の高さ２４Ｈが係合凹部１４Ｒの底面から外壁面１４Ｂまでの距離１４Ｈよりも小さいにも関わらず、頂部２４Ｔを越えて係合凹部１４Ｒに係合した第１、第２の係合突起３２Ａ、３２Ｂ（図１１参照）の位置ずれが確実に防止される。
【００４１】
そして先端側斜面２４Ｂの傾きが緩やかであることから、第１、第２の係合突起３２Ａ、３２Ｂが山状突起２４の頂部２４Ｔを乗り越える際に大きな力は不要である。さらに、山状突起２４の先端である頂部２４Ｔが適度に面取りされており、第１、第２の係合突起３２Ａ、３２Ｂの断面形状がほぼ半円形であって、それらの先端部の表面が曲面であることも、内視鏡用キャップ３０の取り付け動作を容易にする。
【００４２】
なお、内視鏡用キャップ３０は比較的硬質な部材で形成されているものの、第１、第２の係合突起３２Ａ、３２Ｂが、山状突起２４の頂部２４Ｔ上を通る際には適度に変形できる（図１０参照）ように、その硬さが調整されている。
【００４３】
このような取り付け動作における内視鏡用キャップ３０の変形を容易に可能にするため、取り付けられた状態の内視鏡用キャップ３０の内壁面３０Ｉと挿入管１４の外壁面１４Ｂとの間には、適度なクリアランスＣＬ（図８、９参照）が設けられる。
【００４４】
このクリアランスＣＬを設けることにより、金属で形成されている挿入管１４の表面上の硬い山状突起２４を乗り越える際に変形する第１、第２の係合突起３２Ａ、３２Ｂの破損を防止できる。さらに、取付け動作時にクリック感をユーザに与えることができる。これらの効果を得るためには、クリアランスＣＬの幅は、できるだけ大きいことが好ましいものの、内視鏡用キャップ３０の位置ずれを確実に防止できる範囲内で、適宜、調整される。
【００４５】
以上のように本実施形態によれば、適切な位置で挿入管１４に装着可能であるとともに、主として回転による位置ずれを確実に防止可能な内視鏡用キャップ３０、および内視鏡１０を実現できる。さらに、挿入管１４の内部スペースをほとんど縮小させない程度の深さのガイド溝１４Ｇを外壁面１４Ｂに設け、山状突起２４の高さを外壁面１４Ｂよりも低くすること等により、挿入管１４の構造の簡素化、小径化も可能である。
【００４６】
例えば、光学領域１４Ｌ（図２、３参照）の先端を拡張してここにねじ山を設け、内視鏡用キャップ３０を螺合させる場合に比べると、本実施形態では、ねじ山形成のための光学領域１４Ｌの拡張が不要であり、挿入管１４の先端部の構造を簡素化できる。
【００４７】
内視鏡１０の挿入管１４、および内視鏡用キャップ３０に含まれる部材の形状、配置、材質等は、いずれの実施形態にも限定されない。例えば、側視型以外の内視鏡に本願発明を適用しても良い。また、ガイド溝１４Ｇを全ての係合凹部１４Ｒの先端側に設けても良い。
【００４８】
内視鏡用キャップ３０の回転による位置ずれを効果的に防止するために、係合凹部１４Ｒは挿入管１４の周方向に沿って延び、かつ係合突起３２もある程度の長さを有することが好ましいが、これには限定されない。係合凹部１４Ｒと係合突起３２の数を増やして位置ずれを防止しても良い。
【００４９】
位置決め突起２６における突起先端面２６Ｓの形状（図２、３参照）も、内視鏡用キャップ３０の取り付け動作を容易にしつつ位置ずれ防止に貢献できる限り、矩形状には限定されない。
【符号の説明】
【００５０】
１０  内視鏡
１４  挿入管
１４Ｄ  溝（移動溝）
１４Ｇ  ガイド溝
１４Ｌ  光学領域
１４Ｒ  係合凹部
１４Ｓ  先端面
２０  配光レンズ（光学系）
２１  対物レンズ（光学系）
２４  山状突起
２６  位置決め突起
２６Ｓ  突起先端面
３０  内視鏡用キャップ
３０Ｉ  内壁面
３０Ｒ  位置決め凹部
３２  係合突起
【図１】
2010253069.tif 000003
【図２】
2010253069.tif 000004
【図３】
2010253069.tif 000005
【図４】
2010253069.tif 000006
【図５】
2010253069.tif 000007
【図６】
2010253069.tif 000008
【図７】
2010253069.tif 000009
【図８】
2010253069.tif 000010
【図９】
2010253069.tif 000011
【図１０】
2010253069.tif 000012
【図１１】
2010253069.tif 000013